(57)【要約】      （修正有）【課題】グラデーションカットを施したゴルフ用グローブにおいて、グリップの際に掌側小指片が内側方向に捻じれるという問題を解消したゴルフ用グローブを提供する。【解決手段】ゴルフクラブを握ったとき掌側の小指片、薬指片、中指片の下端付近にたるみが生ずるのを防ぐため、縫製前の掌側部材の小指片、薬指片、中指片の下端付近の余剰部をあらかじめ切除してから縫製してなるゴルフ用グローブにおいて、縫製前の掌側小指片８の幅方向寸法を広幅状となるように外側に湾曲膨出させ、当該湾曲膨出部の外周縁部と甲側小指片１２の外周縁部を襠片を介さずに直接縫合するようにして掌側小指片８がプレー中に捻じれるのを防ぐようにする。【選択図】図４
0003199786.tif 000002
【実用新案登録請求の範囲】
【請求項１】
ゴルフクラブを握ったとき掌側の小指片、薬指片、中指片の下端付近にたるみが生ずるのを防ぐため、縫製前の掌側部材の小指片、薬指片、中指片の下端付近の余剰部をあらかじめ切除してから縫製してなるゴルフ用グローブにおいて、縫製前の掌側小指片の幅方向寸法を広幅状となるように外側に湾曲膨出させ、当該湾曲膨出部の外周縁部と甲側小指片の外周縁部を襠片を介さずに直接縫合するようにして掌側小指片がプレー中に捻じれるのを防ぐようにしたことを特徴とするゴルフ用グローブ。
【請求項２】
ゴルフクラブを握ったとき掌側の小指片、薬指片、中指片の下端付近にたるみが生ずるのを防ぐため、縫製前の掌側部材の小指片、薬指片、中指片の下端付近の余剰部をあらかじめ切除してから縫製してなるゴルフ用グローブにおいて、縫製前の掌側小指片の幅方向寸法を広幅状となるように外側に湾曲膨出させ、且つ縫製前の甲側部材における甲側小指片を、隣接する甲側薬指片より外方に傾斜させた状態で裁断し、前記掌側小指片の湾曲膨出部の外周縁部と前記外方に傾斜させた甲側小指片の外周縁部を襠片を介さずに直接縫合するようにして掌側小指片がプレー中に捻じれるのを防ぐようにしたことを特徴とするゴルフ用グローブ。
【考案の詳細な説明】
【技術分野】
【０００１】
本考案はゴルフ用グローブの改良に関する。
【背景技術】
【０００２】
グリップを確実にして、スイングを安定させるためゴルファーの手にはグローブが必要不可欠となっている。しかしながら、従来のゴルフ用グローブの場合、ゴルフクラブを握ったとき、掌部側が内側に折り込まれるような状態となるため、掌側の中指片、薬指片及び小指片の下端付近に掌部皮の余剰部分がたるみとなって重なり合いグリップの際に違和感を生じ、安定したショットの妨げになるという問題点があった。
【０００３】
このような問題点を解消するため、本件出願人は下記の特許文献１に開示されているゴルフ用グローブを提案した。
特許文献１に開示されたゴルフ用グローブは手袋本体をなす縫製前の掌部皮側の小指片、薬指片、中指片のつけ根部付近を、中指片から小指片側に向け順次広幅状となるようにして切り欠くと共に、当該切り欠いた切断端面同士を縫合し、ゴルフクラブを握ったとき、小指片、薬指片、中指片のつけ根部付近の掌部皮にたるみが生じないように構成したものである。すなわち、掌側の中指片、薬指片及び小指片の下端付近に生じる掌部皮の余剰部分をあらかじめ切除して最初からたるみが生じないように工夫したものである。
【先行技術文献】
【特許文献】
【０００４】
【特許文献１】実開平２−２９４１４号公報
【考案の概要】
【考案が解決しようとする課題】
【０００５】
特許文献１に開示されたゴルフ用グローブによった場合、小指片、薬指片、中指片の下端付近の余剰部があらかじめ取り除かれているため、グリップの際に掌部側小指片、薬指片、中指片の下端部付近に違和感を生じるようなことがなくなった。
【０００６】
しかしながら、小指片、薬指片、中指片の下端付近の余剰部をあらかじめ切除してあるため、当該部分にゆとりがなくなり、グリップの際に掌側小指片が内側方向に捻じれるとういう新たな問題が発生した。
グリップを握ったときに掌側小指片が内側に捻じれると当該部分にストレスが生じミスショットの原因になると共に、当該部分の摩耗を早めるという問題点がある。
【０００７】
本考案は、ゴルフクラブを握ったとき掌側の小指片、薬指片、中指片の下端付近にたるみが生ずるのを防ぐため、縫製前の掌側部材の小指片、薬指片、中指片の下端付近の余剰部をあらかじめ切除してから縫製してなる、所謂グラデーションカットを施したゴルフ用グローブにおいて、グリップの際に掌側小指片が内側方向に捻じれるという問題点を解消したゴルフ用グローブを提供することを目的とするものである。
【課題を解決するための手段】
【０００８】
上記課題を解決するための本考案の構成を詳述すれば、請求項１に係る考案は、ゴルフクラブを握ったとき掌側の小指片、薬指片、中指片の下端付近にたるみが生ずるのを防ぐため、縫製前の掌側部材の小指片、薬指片、中指片の下端付近の余剰部をあらかじめ切除してから縫製してなるゴルフ用グローブにおいて、縫製前の掌側小指片の幅方向寸法を広幅状となるように外側に湾曲膨出させ、当該湾曲膨出部の外周縁部と甲側小指片の外周縁部を襠片を介さずに直接縫合するようにして掌側小指片がプレー中に捻じれるのを防ぐようにしたことを特徴とするゴルフ用グローブである。
【０００９】
また、請求項２に係る考案はゴルフクラブを握ったとき掌側の小指片、薬指片、中指片の下端付近にたるみが生ずるのを防ぐため、縫製前の掌側部材の小指片、薬指片、中指片の下端付近の余剰部をあらかじめ切除してから縫製してなるゴルフ用グローブにおいて、縫製前の掌側小指片の幅方向寸法を広幅状となるように外側に湾曲膨出させ、且つ縫製前の甲側部材における甲側小指片を、隣接する甲側薬指片に対し外方に傾斜させた状態で裁断し、前記掌側小指片における湾曲膨出部の外周縁部と前記外方に傾斜させた甲側小指片の外周縁部を襠片を介さずに直接縫合するようにして掌側小指片がプレー中に捻じれるのを防ぐようにしたことを特徴とするゴルフ用グローブである。
【考案の効果】
【００１０】
上述のように本考案に係るゴルフグローブによれば、縫製前の掌側部材の小指片に幅広の湾曲膨出部を設けてあるので、グローブ本体を手に嵌める際だけでなくプレー中においても小指片が内側に捻じれるのを有効に防ぐことができ、ショットを安定させることができる。
【００１１】
なお、請求項２のように、縫製前の甲側部材における甲側小指片を甲側薬指片に対し、外側に傾けて裁断し、掌側小指片における湾曲膨出部の外周縁部と甲側小指片の外周縁部を縫合して完成品とした場合は、縫製作業が従来より楽になると共に、素材に無理なストレスが掛からなくなり完成品の耐久性も向上する。
【００１２】
また、掌側小指片に幅広の湾曲膨出部を設けてあるので、湾曲膨出部の外周縁部と甲側小指片の外周縁部を直接縫合することができ、襠片が不要となるので縫製工程の一部を省略できると共に、襠片の縫着ラインがなくなるので装着感の良好なゴルフ用グローブを提供することができる。
【図面の簡単な説明】
【００１３】
【図１】本考案に係るゴルフ用グローブ本体をなす縫製前の裁断済みボディーの平面図である。
【図２】各指片に適用する襠片の平面図である。
【図３】親指部の縫製前の裁断済みボディーの平面図である。
【図４】図１ないし図３に示すゴルフ用グローブの各パーツを所定の縫着ラインに沿って縫着して完成した本考案ゴルフ用グローブの一実施形態を示す斜視図である。
【考案を実施するための形態】
【００１４】
以下、本考案に係るゴルフ用グローブの具体的構成を図示の実施形態に基づいて詳細に説明する。
【００１５】
なお、以下に示す実施形態は、本考案の技術思想を具体化するための一例を示すものであって、本考案は以下の説明及び図示したものに限定されないのは言うまでもない。また、本考案ゴルフ用グローブの外観形態は、特定的な記載がない限り、本考案の範囲をそれのみに限定する趣旨ではなく、単なる例示に過ぎないものである。
【００１６】
図中１はグローブ本体２をなす縫製前の裁断済みボディを示し、３は当該裁断済みボディ１の掌部皮側、４は甲部皮側を示す。なお、裁断済みボディ１は天然皮革の他、合成皮革、人工皮革等薄手の適宜素材が好適に用いられる。
【００１７】
図示する実施形態の裁断済みボディ１は掌部皮側３と甲部皮側４が分離されておらず一体となっているが、本考案の実施に際しては掌部皮側と甲部皮側を分離した裁断済みボディとしてもよいのは勿論である。
【００１８】
次に、図中５は掌側の指片部であり、掌側中指片６、掌側薬指片７及び掌側小指片８を具備している。当該掌側の指片部５の下端部と裁断済みボディ１の掌部皮側３の間には、裁断の際に余剰部が除去されて切欠部９が形成されるようになっている。
【００１９】
その他、図中の１２は裁断済みボディ１の甲部皮側４における甲側小指片であり、１３は甲側小指片１２に隣接する甲側薬指片、１４は甲側中指片、１５は甲側と掌側が繋がった人差し指片、１６は親指袋を構成する親指片である。
【００２０】
また、１７は薬指側の掌側小指片８と甲側小指片１２の間に介在させる襠片、１８は小指側の掌側薬指片７と甲側薬指片１３の間に介在させる襠片、１９は中指側の掌側薬指片７と甲側薬指片１３の間に介在させる襠片、２０は薬指側の掌側中指片６と甲側中指片１４の間に介在させる襠片、２１は人差し指側の掌側中指片６と甲側中指片１４の間に介在させる襠片、２２は人差し指片１５の掌側と甲側の間に介在させる襠片である。
【００２１】
本考案ゴルフ用グローブはこのように縫製前の掌側部材の小指片、薬指片、中指片の下端付近の余剰部をあらかじめ切除してから縫製してなるゴルフ用グローブにおいて、縫製前の掌側小指片８の幅方向寸法Ｌを他の掌側中指片６、掌側薬指片７より広幅状となるように外側に湾曲膨出させ、当該湾曲膨出部１０の外周縁部１１と甲側小指片１２の外周縁部を襠片を介さずに直接縫合するようにして掌側小指片８がプレー中に捻じれるのを防ぐようにしたものである。
【００２２】
すなわち、縫製前の掌側小指片８の幅方向寸法Ｌが広幅状となるように外側に湾曲膨出しているので、甲側小指片１２との縫着後の完成品は、プレイヤーの小指の側面のほとんどを当該湾曲膨出部１０で覆うことができ、しかも掌側小指片８の幅方向寸法Ｌに較べ格段に細幅状となっている甲側小指片１２との縫着線方向に引っ張られるため、プレー中に掌側小指片８が掌側方向に捻じれるのを防ぐことができるのである。
【００２３】
なお、図１に示すように縫製前の甲側部材における甲側小指片１２を、隣接する甲側薬指片１３より外方に傾斜させた状態で裁断し、前記掌側小指片８の湾曲膨出部１０の外周縁部と前記外方に傾斜させた甲側小指片１２の外周縁部を襠片を介さずに直接縫合するようにした場合は小指袋の縫製が従来より格段にし易くなると共に、素材に無理なストレスが掛からなくなり耐久性も向上する。
【００２４】
以上のように、本考案に係るゴルフ用グローブによれば、掌側小指片がプレー中に捻じれるのを有効に防ぐことができ、グローブに起因するミスショット等をなくすことができる。
また、縫製前の甲側部材における甲側小指片を甲側薬指片に対し、外側に傾けて裁断し、掌側小指片における湾曲膨出部の外周縁部と甲側小指片の外周縁部を縫合して完成品とする場合は、縫製作業が従来より楽になると共に、素材に無理なストレスが掛からなくなり完成品の耐久性が向上する。
【符号の説明】
【００２５】
１：裁断済みボディ
２：グローブ本体
３：掌部皮側
４：甲部皮側
５：掌側の指片部
６：掌側中指片
７：掌側薬指片
８：掌側小指片
９：切欠部
１０：湾曲膨出部
１１：外周縁部
１２：甲側小指片
１３：甲側薬指片
１４：甲側中指片
１５：人差し指片
１６：親指片
１７〜２２：襠片
【図１】
0003199786.tif 000003
【図２】
0003199786.tif 000004
【図３】
0003199786.tif 000005
【図４】
0003199786.tif 000006